(57)【要約】【課題】  本発明はネットワークを使用してブロマイド印刷が可能な印刷システムに関し、特にブロマイドに印刷されたタレント等の音声をブロマイドの印刷販売に基づいて、携帯端末を使用して流し、印刷システムの付加価値を向上させるものである。【解決手段】  本発明は自動販売機型印刷装置、携帯電話、及びサーバが接続された印刷システムにおいて、ユーザが指定するタレントのブロマイド画像を印刷し、その印刷画像にサーバから送信された２次元バーコードを含ませることにより、当該印刷画像を撮像手段を有する携帯電話で撮影し、当該撮影画像を解析することによってブロマイド画像に対応するタレントの音声情報を取得し、ユーザに音声を聞かせる構成であり、本例の印刷システムの付加価値を向上させるものである。【選択図】  図１
2005074856.tif 000002
【特許請求の範囲】
【請求項１】
自動販売機型印刷装置と、端末機器と、サーバがネットワークを介して接続された印刷システムにおいて、
前記自動販売機型印刷装置は、指定された特定人のブロマイド情報を前記サーバに送信する送信手段と、該サーバからの対応するブロマイド画像及び付加情報を含む画像の印刷データを受信する受信手段と、該ブロマイド画像と付加情報を含む画像を合成して印刷する印刷手段とを有し、
前記端末機器は、印刷された合成画像を撮影する撮像手段と、該撮像結果に含まれる前記付加情報を含む画像を解析する解析手段と、該解析結果に基づいて前記ブロマイド画像に対応する特定人の音声情報を出力する出力手段とを有することを特徴とする印刷システム。
【請求項２】
前記受信手段は、前記ブロマイド画像の画像情報と共に、待ち受け画面の画像情報に対応する付加情報を含む画像の印刷データも受信することを特徴とする請求項１記載の印刷システム。
【請求項３】
前記付加情報を含む画像は、バーコードであることを特徴とする請求項１，２記載の印刷システム。
【請求項４】
ネットワークを介して、自動販売機型印刷装置と、端末機器に接続されたサーバであって、
特定人のブロマイド画像のデータと該ブロマイド画像のデータに対応する付加情報を含む画像の印刷データを記憶する記憶手段と、
前記自動販売機型印刷装置から指定するタレント画像の送信要求を受信する受信手段と、
該ブロマイド画像、及び該ブロマイド画像に対応する付加情報を含む画像の印刷データを送信する送信手段と、
を有することを特徴とするサーバ。
【請求項５】
前記記憶手段は、待ち受け画面の画像情報も記憶し、前記ブロマイド画像の送信要求を受信すると、該ブロマイド画像の画像情報と共に待ち受け画面の画像情報に対応する付加情報を含む画像の印刷データも送信することを特徴とする請求項４記載のサーバ。
【請求項６】
前記付加情報を含む画像は、バーコードであることを特徴とする請求項３，４記載のサーバ。
【発明の詳細な説明】
【技術分野】
【０００１】
本発明は印刷システムに関し、特にネットワークを使用してブロマイド印刷が可能な印刷システムに関する。
【背景技術】
【０００２】
今日、デジタルカメラやカメラ付き携帯電話が急速に普及してきている。これに伴い、デジタルカメラ等で撮影した画像を印刷するためのプリンタ装置も様々なものが開発されている。
例えば、それらのプリンタ装置の一つに、自動販売機型のプリンタ装置（以下、プリント自販機で示す）がある。このプリント自販機は、ユーザが撮影した画像を記憶したメディア(例えば、PCカードやコンパクトフラッシュ（登録商標）等)をプリント自販機に直接挿入し、メディアに記録された写真画像の印刷を行うことにより、所定の印刷料金を徴収するものである。
【０００３】
このようなプリント自販機は、ユーザがプリンタ装置を購入する必要がなく、銀塩写真と同等の品質の写真印刷が得られることから、普及が進んでいる。
特に、特許文献１の印刷装置は、上記写真画像上に予め用意された画像の中の最適な画像を印刷し、利用に伴う著作料を徴収する発明である。
【特許文献１】特開２００１−３０５８１号公報
【発明の開示】
【発明が解決しようとする課題】
【０００４】
しかしながら、上記従来の印刷システムではデジタルカメラやカメラ付き携帯電話で撮影した写真画像に、用意されたフレーム画像や著作画像を合成して印刷するだけであり、プリント自販機を印刷システムとして発展的に使用する提案ではない。
例えば、デジタルカメラ等で撮影した画像の印刷だけでなく、俳優や歌手、スポーツ選手等のブロマイドの印刷にプリント自販機を使用し、更にブロマイド印刷の際、付加価値を付けて販売する提案はない。
【課題を解決するための手段】
【０００５】
上記課題は本願発明によれば、自動販売機型印刷装置と、端末機器と、サーバがネットワークを介して接続された印刷システムにおいて、前記自動販売機型印刷装置は、指定された特定人のブロマイド指定情報を前記サーバに送信する送信手段と、該サーバからの対応するブロマイド画像及び付加情報を含む画像の印刷データを受信する受信手段と、該ブロマイド画像と付加情報を含む画像を合成して印刷する印刷手段とを有し、前記端末機器は、印刷された合成画像を撮影する撮像手段と、該撮像結果に含まれる前記付加情報を含む画像を解析する解析手段と、該解析結果に基づいて前記ブロマイド画像に対応する特定人の音声情報を出力する出力手段とを有する印刷システムを提供することによって達成できる。
【０００６】
ここで、上記自動販売機型印刷装置は、デジタルカメラ等で撮影した画像データを印刷すると共に、ネットワークを介して受信したブロマイド画像の画像情報を印刷する。また、サーバから上記自動販売機型印刷装置を使用して指定されたタレント等の特定人のブロマイド画像の印刷情報と共に、対応するタレントの音声情報が用意されたネットワーク上のサーバを指定する付加情報を含む画像の印刷データ（例えば、１次元バーコードや２次元バーコード、ＱＲコード（登録商標）などの印刷データ）を送信する。
【０００７】
また、携帯電話は上記自動販売機型印刷装置が印刷した、例えば２次元バーコードを含む画像を撮像し、２次元バーコードの情報を解析し、中に含まれるアドレス情報（ＵＲＬ）に基づいてネットワーク上のサーバをアクセスして、対応する音声情報を上記サーバから受信し、タレントの音声をユーザに聞かせる。
【０００８】
このように構成することにより、ユーザは特定人（例えば、タレント）のブロマイド印刷を取得すると共に、そのタレントの音声を聞くことができ、付加価値のある印刷システムとなる。
また、前記受信手段は、前記ブロマイド画像の画像情報と共に、待ち受け画面の画像情報が用意されたネットワーク上のサーバのアドレス情報を含むバーコード印刷データも受信する構成である。
【０００９】
このように構成することにより、ユーザはタレントのブロマイド印刷を取得すると共に、例えば携帯電話の待ち受け画面の画像情報も受信でき、更に付加価値の高い印刷システムとすることができる。
上記課題は本願発明によれば、ネットワークを介して、自動販売機型印刷装置と、端末機器に接続されたサーバであって、特定人のブロマイド画像のデータと該ブロマイド画像のデータに対応する付加情報を含む画像の印刷データを記憶する記憶手段と、前記自動販売機型印刷装置から指定するタレント画像の送信要求を受信する受信手段と、該ブロマイド画像、及び該ブロマイド画像に対応する付加情報を含む画像の印刷データを送信する送信手段とを有するサーバを提供することによって達成できる。
【００１０】
本発明は、ネットワークに接続されたサーバであり、自動販売機型印刷装置からの要求に従ってブロマイド画像の印刷データ、及び特定人（例えば、タレント）の音声情報が用意されたサーバアドレスに対応する付加情報を含む画像（例えば２次元コード）の印刷データを送信することによって、上記情報を取得した自動販売機型印刷装置は両画像の合成画像を印刷し、例えば携帯電話にこの合成画像を撮影させることによって対応するサーバと通信し、上記音声情報を再生させる構成である。
【００１１】
このように構成することにより、サーバから送信されたデータに基づいて特定人の音声を聞くことができる。
また、前記記憶手段は、待ち受け画面の画像情報も記憶し、前記ブロマイド画像の送信要求を受信すると、該ブロマイド画像の画像情報と共に待ち受け画面の画像情報に対応する付加情報を含む画像の印刷データも送信する構成である。
【００１２】
このように構成することによっても、ユーザは特定人のブロマイド印刷を取得すると共に、例えば携帯電話の待ち受け画面の画像情報も受信でき、更に付加価値の高いサーバを含むシステムとすることができる。
【発明の効果】
【００１３】
本発明は上記構成により、ブロマイドに印刷されたタレント等の音声をブロマイドの印刷販売に対応して付加し、携帯端末を使用してユーザに聞かせることにより、印刷システムの付加価値を向上させることができる。
また、ブロマイド印刷販売に基づいて、携帯電話の待ち受け画面を取得でき、付加価値を更に向上することができる。
【発明を実施するための最良の形態】
【００１４】
以下、本発明の実施形態を図面に基づいて詳細に説明する。
（実施形態１）
図１は本発明の印刷システムの構成図である。同図に示すように、本システムはプリント自販機１とカメラ付き携帯電話２、及びブロマイドサーバ３がインターネット等のネットワーク４で接続された構成であり、ユーザに対して、ブロマイドを印刷して販売する際、音声情報も提供するものである。
【００１５】
プリント自販機１は、携帯電話等で撮影した画像を印刷し、又ブロマイドを印刷販売する装置であり、例えば街角や大型電気製品の量販店等に設置されている。また、携帯電話２は装備するカメラで後述する２次元バーコードを含む画像を撮影し、その２次元バーコードを解析し、自動的にインターネットなどのネットワーク４にアクセスして音声情報を取得できる構成である。
【００１６】
ブロマイドサーバ３は、ブロマイドの画像データや、そのブロマイド画像に対応する音声情報のデータ、更に、その音声情報データが格納されたサーバ上のアドレス情報を含む２次元バーコードの印刷情報をセットとして記憶しており、ネットワーク４を経由して上記データをプリント自販機１や携帯電話２に配信する。
【００１７】
図２はブロマイド印刷の例であり、ブロマイド５の一部に２次元バーコード６が印刷されている。この２次元バーコード６には、ブロマイド５に印刷されている画像に対応する音声情報の記憶場所、例えばアドレス情報等が記録されている。
次に、上記構成において、本システムの処理動作を説明する。
【００１８】
図３は本例の処理動作を説明するシーケンス図である。同図において、先ずユーザはプリント自販機１の印刷受付画面において、ブロマイド印刷のメニューを選択する。図４はこのメニュー画面であり、画面には「デジカメ写真の印刷」及び「ブロマイドの印刷」の表示が行われ、ユーザは何れかを選択する。ここで、「デジカメ写真の印刷」のメニューが選択されると、プリント自販機１が通常行っている印刷処理が行われる。例えば、デジタルカメラで撮影した写真画像が記録されたメモリカードをプリント自販機１のスロットに装着し、写真印刷を行う。
【００１９】
本例においては、以後ブロマイド印刷のメニューが選択されるものとする（図３に示すａ）。上記メニューが選択されると、プリント自販機１はネットワーク４を経由してブロマイドサーバ３にアクセスし、タレントリストを要求する（図３に示すｂ）。
要求を受信したブロマイドサーバ３は内部に記憶するタレントリストを読み出し、プリント自販機１に対してタレントリストを送信する（図３に示すｃ）。
【００２０】
プリント自販機１はタレントリストを受信すると、プリント自販機１の画面にタレントリストを表示し、ブロマイド印刷を希望するタレントを選択させる（図３に示すｄ）。
図５はプリント自販機１のディスプレイに表示されるタレントの選択画面であり、ユーザは「戻る」又は「次ヘ」のスクロールボタンを操作し、ブロマイド印刷を希望するタレントを選択する（図３に示すｅ）。
【００２１】
ユーザがタレントを選択すると、プリント自販機１はネットワーク４を経由してブロマイドサーバ３にアクセスを行い、ユーザが選択したタレント、例えば“○×△さん”のブロマイドリストを要求する（図３に示すｆ）。
ブロマイドリストを要求されたブロマイドサーバ３は、内部に記憶するタレントリストを検索し、要望のあったタレントのブロマイドを読み出し、プリント自販機１に送信する（図３に示すｇ）。この場合、例えばタレント“○×△さん”のブロマイドリストがプリント自販機１に送信される。
【００２２】
ブロマイドリストを受信したプリント自販機１は、ディスプレイにこのブロマイドリストを表示する（図３に示すｈ）。図６はこの表示例であり、ユーザに対して印刷を希望するブロマイドを選択させる。この場合にも、ユーザは「戻る」又は「次ヘ」のスクロールボタンを操作し、印刷を希望するブロマイドと、希望する印刷枚数を選択する。
【００２３】
ユーザによって印刷を希望するブロマイドと印刷枚数が指定されると、プリント自販機１は料金を表示する。そして、ユーザが料金を支払うと（図３に示すｉ）、プリント自販機１はユーザが選択したブロマイドの画像データとそれに対応した２次元バーコードの印刷データをブロマイドサーバ３に要求する（図３に示すｊ）。
【００２４】
要求を受けたブロマイドサーバ３は、ブロマイドの画像データと対応する２次元バーコード印刷データをプリント自販機１に送信する（図３に示すｋ）。
プリント自販機１はブロマイドの画像データと対応する２次元バーコードの印刷データを受信すると、ブロマイドの画像データと２次元バーコードを合成した後、前述の図２に示す合成画像を印刷する（図３に示すｌ）。
【００２５】
次に、上記処理によって希望するブロマイドを取得したユーザは、携帯電話２に装備するカメラを使用してブロマイドに印刷された２次元バーコードを撮影する。携帯電話２は撮影した２次元バーコードを解析し、２次元バーコードに記録されているネットワーク４上のアドレス情報(例えば、URLや電話番号等)を抽出する。そして、抽出したアドレス情報を利用してネットワーク４を経由してブロマイドサーバ３にアクセスする。
【００２６】
ブロマイドサーバ３は、対応するタレントの音声情報データ（例えば、タレントの声）を依頼のあった携帯電話２に対して送信する。
音声情報データを受信した携帯電話２では、その音声情報データを携帯電話２の受話口、もしくはスピーカで再生する。以上の処理により、ブロマイドに対応した音声情報をユーザに提供することができる。
【００２７】
また、ユーザは音声情報データを再生した後、しばらくして再び再生させることが多い。この場合、ユーザは再度２次元バーコードを撮影し、２次元バーコードを解析してブロマイドサーバ３にアクセスし、音声情報データをサーバから受信する。但し、音声情報データを２回目以降の再生する場合、携帯電話２に撮影した２次元バーコードの画像データを保存するか、又は２次元バーコードの解析結果を携帯電話２に保存しておく構成としてもよい。さらに、２次元バーコードに対応する音声情報データを携帯電話２内部に保存する構成としてもよい。
【００２８】
この場合、携帯電話２では、２次元バーコードが撮影された時、先ず同じバーコードが過去に撮影されていないかを判断する。そして、判断の結果、過去に撮影されていた場合には、撮影した２次元バーコードに対応する音声情報データを直ちに再生する。このように処理すれば、ネットワークの通信トラヒックの増大を抑えることができ、更に２回目以降の音声情報データの再生時間を短縮することができる。
【００２９】
また、音声情報及び格納場所を２次元バーコードにより示すのではなく、それ以外の方法、例えば文字や記号等で示すようにしてもよい。また、音声情報の格納場所を携帯電話２へ入力する手段は、必ずしも携帯電話２のカメラである必要はなく、ブロマイドに印刷されたアドレス情報をユーザがキー入力し、ユーザの声によって音声入力する構成としてもよい。
【００３０】
また、音声情報は必ずしもブロマイドサーバ３に格納する必要はなく、例えば音声情報を格納する専用のサーバを用意する構成としてもよい。また、ブロマイドサーバ３が送信する情報は、例えば趣味や生年月日等のタレントに関する情報であってもよい。
また、本実施例では、タレントのブロマイドと音声の組合せの例を説明したが、“アニメのキャラクタのプリント画像とその音声の組合せ”、又は“スポーツ（野球・サッカー・競馬・運動会などプロ・アマ問わず）における１シーンの写真プリントとその実況中継の音声や歓声の組合せ”等各種組み合わせ例が考えられる。
【００３１】
さらに、携帯電話２は必ずしも必要ではなく、例えばカメラ付きＰＤＡ（personal digital assistants）等の通信可能な端末機器であり、２次元バーコードを解析できる端末機器であればよい。
（実施形態２）
次に、本発明の実施形態２について説明する。
【００３２】
ブロマイドを印刷するユーザはそのタレントのファンであり、より多く、より長くタレントの音声を聞きたいと思うことが多い。そこで、本例は１枚のブロマイド画像に対して複数の音声情報を対応させておき、その１つ又は複数の音声情報をユーザに送信するものである。以下、具体的に説明する。
【００３３】
図７は本例の印刷システムの処理動作を説明する図である。先ず、前述と同様メニュー選択が行われ、プリント自販機１からネットワーク４を経由してブロマイドサーバ３にタレントリストを要求する（図７に示すａ、ｂ）。要求を受信したブロマイドサーバ３は内部に記憶するタレントリストを読み出し、プリント自販機１に対してタレントリストを送信し（図７に示すｃ）、プリント自販機１の画面にタレントリストを表示し、ブロマイド印刷を希望するタレントを選択させる（図７に示すｄ）。
【００３４】
次に、ユーザがタレント（例えば、“○×△さん”）のブロマイドリストを要求すると（図７に示すｆ）、ブロマイドサーバ３はタレントリストを検索し、要望のあったタレントのブロマイドを読み出し、プリント自販機１に送信する（図７に示すｇ）。そして、プリント自販機１のディスプレイにブロマイドリストを表示する（図７に示すｈ）。
【００３５】
その後、ユーザによって印刷を希望するブロマイドと印刷枚数が指定されると、ユーザは料金を支払い（図７に示すｉ）、プリント自販機１はユーザが選択したブロマイドの画像データとそれに対応した２次元バーコードの印刷データをブロマイドサーバ３に要求する（図７に示すｊ）。
【００３６】
要求を受けたブロマイドサーバ３は、ブロマイドの画像データと２次元バーコード印刷データを選択する（図３に示すｍ）。本例において、この選択処理は、要求されたブロマイドの画像データに対応する複数の音声情報データの中から、任意の音声情報データを１つ選択する。この選択方法は、例えば乱数に基づいて選択する、又は日時により決められた音声情報データを選択する等の方法が考えられる。
【００３７】
このようにして選択された音声情報データに対応する２次元バーコードの印刷データは、ブロマイドの画像データと共にプリント自販機１に送信される（図７に示すｎ）。プリント自販機１は上記ブロマイドの画像データと２次元バーコードの印刷データを受信すると、前述のように合成画像を印刷する（図３に示すｐ）。
【００３８】
以上のように処理することによって、ユーザが同じブロマイドの画像を複数枚印刷した場合でも、それぞれ２次元バーコードデータを異ならせることができ、携帯電話２を使って再生する音声データも異なったものとなる。したがって、本例によればブロマイド画像の印刷という行為にゲーム性を持たせ、プリント自販機１の機能性を向上させることができる。
【００３９】
尚、上記ブロマイド画像、及び対応する２次元バーコード等の印刷データは、印刷毎にネットワーク４にアクセスすることなく、例えば予め一部のデータをブロマイドサーバ３からダウンロードしておき、記憶装置に記憶し、以後このデータを使用する構成としてもよい。
【００４０】
また、２次元バーコードを印刷する位置は、ブロマイドの画像が印刷されている面に限らず、裏面であってもよい。また、ブロマイドの画像上に重ねて印刷してもよい。このように構成すれば、印刷されたブロマイド画像がスキャナなどで取り込まれ、２次的に配布されることを防止できる。
（実施形態３）
次に、本発明の実施形態３について説明する。
【００４１】
本例はユーザに対してブロマイドを印刷して販売する際、携帯電話の待ち受け画面用の画像データも提供するものである。具体的には以下のシステムとなる。
先ず、ブロマイドを印刷して販売する際、ブロマイドの一部分（例えば、表面、もしくは裏面）に２次元バーコードを印刷する。この２次元バーコードには、前述と同様ネットワーク上のアドレス情報(例えば、URLや電話番号等)が記録されている。
【００４２】
ユーザは２次元バーコードをカメラ付き携帯電話２で撮影すると、携帯電話２がアドレスを解析して自動的にネットワークにアクセスする。このアクセス先は、ブロマイドに合わせた待ち受け画像データが格納されている前述のブロマイドサーバ３である。ユーザの携帯電話２は、アクセス先から待ち受け画像をダウンロードし、待ち受け画面に設定する。本例の場合、音声情報データと異なり、待ち受け画像データはユーザに対して回数制限なしに提供することは望ましくない。つまり、複数のユーザが一枚のブロマイドを使い回し、それぞれの携帯電話に待ち受け画像を受信することができるようになるからである。
【００４３】
図８は本例の処理を説明する図である。尚、同図において、処理ａ〜ｊは前述の図３及び図７と同じ処理であり、説明を省略する。前述のようにユーザによって印刷を希望するブロマイドと印刷枚数が指定され、ユーザが料金を支払ってブロマイドサーバ３に対して選択したブロマイドの画像データとそれに対応した２次元バーコードの印刷データを要求すると（図８に示すｊ）、要求を受けたブロマイドサーバ３は、ブロマイドの画像データと２次元バーコード印刷データを選択する（図３に示すｑ）。
【００４４】
本例において、この選択処理はプリント自販機１に送信するブロマイド画像データに対して唯一のバーコードデータとなるようにする。例えば、“当該ブロマイド画像の格納場所（ネットワークアドレス情報）とプリント自販機１へ送信した累積回数を組み合わせたバーコードデータ”であり、又“当該ブロマイド画像の格納場所（ネットワークアドレス情報）と乱数をもとに生成したバーコードデータ”である。このように、唯一のバーコードデータとし、これをブロマイドサーバー３側で管理することで、複数のユーザが一枚のブロマイドを使い回し、それぞれの携帯電話２に待ち受け画像を受信するという問題を回避する。
【００４５】
次に、２次元バーコードデータを生成した後、ブロマイドの画像データと生成した２次元バーコードの印刷データをプリント自販機１に送信する。プリント自販機１では、前述のように受信した画像データと２次元バーコードを合成し、印刷出力する。
次に、ユーザはカメラ付き携帯電話２によって画像を撮影し、２次元バーコードを解析し、ネットワーク上のアドレス情報(例えば、URLや電話番号等）を抽出する。そして、抽出したアドレス情報に従ってブロマイドサーバ３をアクセスし、待ち受け画像データを送信するように要求する。また、２次元バーコードに含まれていた“唯一の情報”も同時に送信する。要求を受けたブロマイドサーバ３では、受信した“唯一の情報”を解析し、有効か否か判定する。尚、この判定方法は、例えば送られてきた“唯一の情報”が既に携帯電話２への待ち受け画像の送信実績があるか否か，或いは送信許可回数以内であるか否か等の方法が考えられる。
【００４６】
さて、有効か否かの判断の結果、有効であると判断した場合、携帯電話２に対して待ち受け画像データを送信する。この待ち受け画像データを受信した携帯電話２は、当該待ち受け画像データを携帯電話２の待ち受け画面に設定する。この処理により、ブロマイドに対応した待ち受け画像をユーザに提供することができる。
【００４７】
以上のように、本例はブロマイド印刷販売の際、携帯電話２の待ち受け画面の画像も合わせて提供できるようにするシステムであり、単なるブロマイド印刷販売に留まらず、付加価値の高いプリント自販機システムを提案することができる。
さらに、一枚のブロマイドから複数の携帯電話に待ち受け画像の配信をすることがないので問題が発生しない。
【００４８】
尚、前述の実施形態においては、ネットワーク上のアドレス情報（付加情報）を含む画像として、１次元バーコード、２次元バーコード、ＱＲコード（登録商標）などを用いる方法を説明したが、本発明は、これに限ることなく、電子透かし技術（特開2002-259249号）を用いてアドレス情報が埋め込まれた画像を印刷し、これを撮像機能を備えた携帯通信端末で読み取り通信を行う方法であっても良い。このようにすれば、ブロマイドの画像そのものにアドレス情報などを含めることができ、ユーザーが直接必要のないバーコードなどの画像の印刷を省くことができる。
【図面の簡単な説明】
【００４９】
【図１】本発明の印刷システムの構成図である。
【図２】ブロマイド印刷例を示す図である。
【図３】実施形態１の処理動作を説明するシーケンス図である。
【図４】初期メニュー画面を示す図である。
【図５】タレントの選択画面を示す図である。
【図６】選択したタレントの写真画像を示す図である。
【図７】実施形態２の処理動作を説明するシーケンス図である。
【図８】実施形態３の処理動作を説明するシーケンス図である。
【符号の説明】
【００５０】
１    プリント自販機
２    カメラ付き携帯電話
３    ブロマイドサーバ
４    ネットワーク
５    ブロマイド
７    ２次元バーコード
【図１】
2005074856.tif 000003
【図２】
2005074856.tif 000004
【図３】
2005074856.tif 000005
【図４】
2005074856.tif 000006
【図５】
2005074856.tif 000007
【図６】
2005074856.tif 000008
【図７】
2005074856.tif 000009
【図８】
2005074856.tif 000010